(57)【要約】【課題】バッテリの寿命を判定できるバッテリ内蔵照明器具を提供する。【解決手段】試験動作時は試験タイマ手段で所定期間毎に試験動作を開始させ、発光ダイオードが消灯し、インバータが動作してバッテリにより蛍光ランプを点灯する。計測タイマ手段を動作させる。電圧検出手段でバッテリが規定電圧以上であるかを判断し、規定電圧以上である場合には、計測タイマ手段で規定時間経過したかを判断し、判定結果をメモリ手段にメモリし、再び通電し、発光ダイオードを点灯させるとともに、再びバッテリを充電する。規定電圧以下である場合には、計測タイマ手段で規定時間経過したかを判断し、規定時間経過した場合には、判定結果をメモリ手段にメモリし、再び通電し、発光ダイオードを点滅させるとともに、バッテリを充電し、バッテリが交換時期であることを示す。【選択図】図２
2008078151.tif 000002
【特許請求の範囲】
【請求項１】
バッテリを電源としてランプを点灯させるランプ点灯手段と；
非試験時及び非停電時にバッテリを充電する充電手段と；
試験が検出されるとランプ点灯手段を動作させる制御手段と；
点灯時間を計測する計測タイマ手段と；
計測タイマ手段で所定時間を計測するとバッテリの電圧を検出し、所定時間に達する前もバッテリの電圧を検出する電圧検出手段と；
この電圧検出手段で電圧が所定値以下であると判断されるとバッテリ不良をモニタするモニタ手段と；
を具備するバッテリ内蔵照明器具において、
前記所定時間経過後は充電手段を動作させてバッテリを充電し、前記所定時間中はバッテリの電圧が所定値以下になると充電手段を動作させてバッテリの充電を開始する
ことを特徴とするバッテリ内蔵照明器具。
【発明の詳細な説明】
【技術分野】
【０００１】
本発明は、非停電時にバッテリでランプを点灯させるバッテリ内蔵照明器具に関する。
【背景技術】
【０００２】
一般に、非常灯はバッテリを有し、非停電時にはこのバッテリによりランプを点灯させている。また、バッテリは停電後、所定時間以上ランプを点灯させなければならない旨法令で規定されており、バッテリには充電状態を表示する充電モニタを付加することが技術基準で義務付けられている。そして、充電モニタは、点検スイッチまたは電源遮断により停電状態を作り、規定時間経過後にランプが点灯しているか否かを点検して充電状態をモニタしている。
【発明の開示】
【発明が解決しようとする課題】
【０００３】
バッテリの寿命は一般的に４ないし６年程度であるが、使用環境条件で寿命が大きく異なり、また、非常灯は普段使用していないため、バッテリは点検されにくくバッテリの状態を把握しにくい問題を有している。
【０００４】
本発明は、上記問題点に鑑みなされたもので、バッテリの寿命を判定できるバッテリ内蔵照明器具を提供することを目的とする。
【課題を解決するための手段】
【０００５】
請求項１記載のバッテリ内蔵照明器具は、バッテリを電源としてランプを点灯させるランプ点灯手段と；
【０００６】
非試験時及び非停電時にバッテリを充電する充電手段と；
【０００７】
試験が検出されるとランプ点灯手段を動作させる制御手段と；
【０００８】
点灯時間を計測する計測タイマ手段と；
【０００９】
計測タイマ手段で所定時間を計測するとバッテリの電圧を検出し、所定時間に達する前もバッテリの電圧を検出する電圧検出手段と；
【００１０】
この電圧検出手段で電圧が所定値以下であると判断されるとバッテリ不良をモニタするモニタ手段と；
を具備するバッテリ内蔵照明器具において、
【００１１】
前記所定時間経過後は充電手段を動作させてバッテリを充電し、前記所定時間中はバッテリの電圧が所定値以下になると充電手段を動作させてバッテリの充電を開始する
ことを特徴とするバッテリ内蔵照明器具。
【発明の効果】
【００１２】
請求項１記載のバッテリ内蔵照明器具によれば、試験動作がされるとと制御手段により動作させたランプ点灯手段がランプを点灯し、この点灯時間を計測タイマ手段で計測し、計測タイマ手段で計測された所定時間経過後は、充電手段を動作させてバッテリを充電し、所定時間中は、バッテリの電圧が所定値以下と判断されると、モニタ手段でバッテリ不良をモニタするとともに充電手段を動作させてバッテリの充電を開始することで、バッテリ寿命を容易に知ることができる。
【発明を実施するための最良の形態】
【００１３】
以下、本発明のバッテリ内蔵照明器具の一実施の形態を図面に示す誘導灯を参照して説明する。
【００１４】
図２は誘導灯を示す斜視図で、１は壁埋込型の器具本体で、この器具本体１は前面に透光開口２を有し、この器具本体１の内部には直管型の蛍光ランプ３、停電などの非常時にこの蛍光ランプ３を点灯するバッテリ４、モニタ手段としての発光ダイオード５を有する非常灯点灯装置６が配設されている。なお、非常灯点灯装置６には、停電検出手段、ランプ点灯手段としてのインバータ、制御手段、計測タイマ手段、電圧検出手段、試験タイマ手段、充電手段、停電タイマ手段およびメモリ手段などの機能を有するマイクロコンピュータなどを備えている。
【００１５】
そして、非常灯点灯装置６により、非停電時である常時は蛍光ランプ３を商用交流電源で点灯し、停電時にバッテリ４に電源が切換えられて非常灯点灯装置６に設けられたインバータによりバッテリ４の直流を高周波交流に変換して蛍光ランプ３を点灯させる。
【００１６】
また、器具本体１は、全面の透光開口２を有する箱状体７を有し、この箱状体７には安定器８が取り付けられ、箱状体７の前面側には枠状の枠体９が開閉可能に取り付けられ、枠体９の周囲には壁面などに先端が当接する突出壁10を有している。
【００１７】
さらに、枠体９の内面側には透光パネル11が支持され、この透光パネル11には誘導表示が施され、箱状体７の透光開口２を覆っている。
【００１８】
また、枠体９には反射部13が、枠体９の閉塞時に発光ダイオード５に対向して枠体９に設けられた支持部材14に一体的に取り付けられ、枠体９の下面に光導出孔15が開口形成されている。
【００１９】
そして、図２に示すように、避難口などの壁面に埋め込まれて避難口を表示する。
【００２０】
次に、上記実施の形態の動作について図１を参照して説明する。
【００２１】
まず、通常動作時は、商用交流電源により蛍光ランプ３を点灯し、商用交流電源が停電しこの停電を停電検出手段で検出すると、ランプ点灯手段が動作してバッテリ４により蛍光ランプ３を点灯する。
【００２２】
一方、試験動作時は試験タイマ手段で所定期間毎に試験動作を開始させ、発光ダイオード５が消灯し（ステップ１）、インバータが動作してバッテリ５により蛍光ランプ３を点灯する。また、計測タイマ手段を動作させる（ステップ２）。なお、試験スイッチなどを設けて、任意のときに試験できるようにしてもよい。
【００２３】
そして、電圧検出手段でバッテリ４が規定電圧以上であるかを判断し（ステップ３）、規定電圧以上である場合には、計測タイマ手段で規定時間経過したかを判断し（ステップ４）、規定時間経過していない場合にはステップ３に戻り、規定時間経過した場合には、判定結果をメモリ手段にメモリし（ステップ５）、再び通電し（ステップ６）、発光ダイオード５を点灯させるとともに（ステップ７）、再びバッテリ４を充電する。
【００２４】
また、ステップ３で規定電圧以下であると判断されると、規定電圧以下である場合には、計測タイマ手段で規定時間経過したかを判断し（ステップ８）、規定時間経過していない場合にはステップ３に戻り、規定時間経過した場合には、判定結果をメモリ手段にメモリし（ステップ９）、再び通電し（ステップ10）、発光ダイオード５を点滅させるとともに（ステップ11）、バッテリ４を充電する。そして、バッテリ４が交換時期であることを示す。すなわち、図４に示すように、バッテリ４の初期特性では規定時間経過後でも、規定電圧以上であるが、経時劣化により規定時間の電圧は徐々に低下する。
【００２５】
一方、規定時間に達する前にバッテリ４の電圧が過放電となる所定電圧以下になると、バッテリ４が再度充電できなくなるため、バッテリ４の所定電圧以下になった場合には、ランプ点灯手段の動作を停止させ、再びバッテリ４の充電を開始し、バッテリ４が過放電となることを防止し、発光ダイオード５を点滅させる。このように、規定時間前に蛍光ランプ３が消灯しても、バッテリ４が原因であるか蛍光ランプ３が原因であるかを容易に知ることができる。
【００２６】
さらに、停電からの停電時間を停電タイマ手段で検出し、停電時間が所定時間以上経過すると、ランプ点灯手段の動作を停止させ、バッテリ４が過放電となることを防止する。このように、過放電を防止することにより、竣工までに長期間放置される場合などでバッテリ４が過放電になる前に、蛍光ランプ３を消灯することにより、バッテリ４の過放電を防止する。
【図面の簡単な説明】
【００２７】
【図１】本発明のバッテリ内蔵照明器具の一実施の形態の誘導灯の動作を示すフローチャートである。
【図２】同上誘導灯の外観を示す斜視図である。
【図３】同上断面図である。
【図４】同上バッテリの放電時間と電圧との関係を示すグラフである。
【符号の説明】
【００２８】
３    蛍光ランプ
４    バッテリ
５    モニタ手段としての発光ダイオード
６    停電検出手段、ランプ点灯手段としてのインバータ、制御手段、計測タイマ手段、電圧検出手段、試験タイマ手段、充電手段、停電タイマ手段およびメモリ手段などの機能を有する非常灯点灯装置
【図１】
2008078151.tif 000003
【図２】
2008078151.tif 000004
【図３】
2008078151.tif 000005
【図４】
2008078151.tif 000006